(57)【要約】      （修正有）【課題】テッシュペーパー箱から残量が少量になったテッシュペーパーを取出す際に、取出したテッシュペーパーが上面孔から落下する場合や一回の取出し時に複数枚のテッシュペーパーが絡み出てくる不都合を解決できるティッシュペーパー箱用カバーを提供する。【解決手段】テッシュペーパー箱用カバー１００は、上面板１に開口部４を形成し、開口部４に対面する２個のローラー２の面を押圧することで、ローラー２間からテッシュペーパーを引き抜くことで問題を解決する。【選択図】図１
0003209162.tif 000002
【実用新案登録請求の範囲】
【請求項１】
上面板に開口部が形成され、前記開口部には支持軸を備えたローラーが対向するように２本備わり、前記支持軸の両端部が前記開口部の側面に遊嵌され、且つ、前記上面板内に具備された複数のバネにより前記支持軸の両端部側面を押圧することにより前記２本のローラー面も押圧するテッシュペーパー箱用カバー
【請求項２】
前記ローラーの支持軸には１個以上の回動自在のローラーが嵌め込まれたことを特徴とする請求項１記載のテッシュペーパー箱用カバー
【考案の詳細な説明】
【技術分野】
【０００１】本考案は、カバー上面板に２個のローラーを具備させたテッシュペーパー箱用のカバーに関する。
【背景技術】
【０００２】テッシュペーパー箱からペーパーを引き出す際に、残量が少量になると一回の取出し時に複数枚のペーパーが絡み出てくる現象やペーパーが当該テッシュペーパー箱上部の取出し口に維持保持できずに箱内に落ち込む現象などの不都合がある。
【先行技術文献】
【特許文献】
【０００３】
【特許文献１】特許公報  第２９５８６８５号
【特許文献２】公開特許公報  特開平６−９２３７８号
【特許文献３】公開特許公報  特開２００３−３２７２８１号
【特許文献４】公開実用新案公報  実開平７−１７１９６号
【特許文献５】実用新案登録公報  第２５５１９９６号
【特許文献６】実用新案登録公報  第３２０３０５５号
【０００４】
【考案の概要】
【考案が解決しようとする課題】
【０００５】上記問題を解決するために、特許公報第２９５８６８５号には上部のものから取り出すにつれて嵩減りするテッシュペーパーの収納ケースにおいて、上部開放の角箱状ケースの内面に沿わせて雄ねじを軸受で枢支立設して備え、この雄ねじに螺合したナットに底板をその端部付近で固定横設することで、この底板を前記ケース内に雄ねじの回転に伴い昇降可能に平設するとともに、この底板上のテッシュペーパー重積体をその上部のものから取り出すための取り出し口を有する蓋板を前記ケースの上面に開閉可能に被せてなる底上げ式テッシュペーパー収納ケースが提案されている。【０００６】特開平６−９２３７８号には、上面板に取出孔を形成した箱体の側板を蛇腹状に形成し、前記側板へ上面板および底板の少なくとも一方を開閉自在に設けることを特徴とするテッシュペーパー収納箱が提案されている。また、特開２００３−３２７２８１号にはテッシュボックス本体に別途に構成されたテッシュペーパーに対する押し上げ機構をテッシュペーパー共々本体に収納し本体に底板を差し込むことにより常にテッシュペーパーは最上部に位置し容易に取り出しが出来、底板を抜き取ることにより簡単に詰め替えができるテッシュペーパー収納箱が提案されている。【０００７】実開平７−１７１９６号にはデザイン性を優先させたテッシュペーパー収納箱が提案されている。具体的には、テッシュペーパー収納箱の上面板の端部を支点として回動自在に取りつけられた蓋を取り付けたテッシュ収納箱である。【０００８】実用新案登録公報第２５５１９９６号には、収納箱本体に設けられた蓋部の下面と、収納された、箱入りテッシュペーパーの上面との間に、前後に可動自在の紙押さえを設け、テッシュペーパーの露出された部分を押し曲げ、その長さを約半減せしめた後に、開閉蓋を閉じることの出来るティシュペーパー収納箱が提案されている。【０００９】いずれの提案もテッシュペーパー残量が少量になった時の課題を克服するために成されたものであるが操作性の観点およびデザイン性の観点から必ずしも優れているとは言えないのが現状である。【００１０】上記操作性の観点およびデザイン性の観点を打破するために本出願人は実用新案登録公報第３２０３０５５号に上面板にテッシュ取出孔を形成し、前記上面板には取出孔を覆う２個の開閉自在の扉と当該扉端にはローラーが具備され、前記扉を閉鎖した状態で当該ローラー面が対向することを特徴とするテッシュペーパー収納箱を提案している。しかしながら、前記ローラー間の隙間の調整を誤るとローラー間にテッシュが保持できない場合やローラー間に隙間がなければティシュを引き出す際に破れるなどの問題があった。
【課題を解決するための手段】
【００１０】上記課題に鑑み、考案者は誠意工夫の結果、操作性の観点、衛生面の観点およびデザイン性の観点を維持しつつ、コスト削減が可能なテッシュペーパー箱用のカバーを見出した。具体的には、上面板に開口部が形成され、前記開口部には支持軸を備えたローラーが対向するように２本備わり、前記支持軸の両端部が前記開口部の側面に遊嵌され、且つ、前記２本のローラー面を押圧するために前記上面板内に具備された複数のバネにより前記支持軸の両端部側面を押圧する構造であり、前記ローラーの支持軸には１個以上の回動自在のローラーが嵌め込まれたテッシュペーパー箱用カバーである。
【考案の効果】
【００１１】本考案のテッシュペーパー箱用カバー上面板の開口部に具備した対向するローラーにより市販テッシュペーパーボックスからのテッシュを円滑に取り出すことが可能となり、当該ローラー間によるストッパーの作用により次回使用するテッシュペーパーが確実にローラー間に保持されるばかりか複数のテッシュペーパーが纏めて出てくることも防止できる。従って、病状者はテッシュペーパー使用頻度が高く、テッシュペーパー取出し動作だけでも負担が掛かる場合があり、市販テッシュペーパーボックスでは上記課題を克服できなかったが、本考案のテッシュペーパー箱用カバーでは市販テッシュペーパーボックスの所定枚数に重ね合わせた状態のテッシュペーパーを簡単かつ確実に取出すことが可能となり病状者や高齢者にも優しいテッシュペーパー箱用カバーである。また、本考案であるローラーはバネにより２本のローラー間を押圧しているためにテッシュペーパー箱の交換の際には当該ローラーを横方向にスライドし簡単にテッシュをローラー間に挟み込むことが可能となる。
【図面の簡単な説明】
【００１２】
【図１】テッシュペーパー箱用カバーの上面図
【図２】図１記載のＸ−Ｙ方向の断面図である。
【図３】下面板の形状を示す。
【図４】下面板に支持軸を設置した状態を示す拡大図である。
【図５】下面板に支持軸を設置した別の実施形態を示す拡大図である。
【図６】下面板に棒バネを設置した別の実施形態を示す拡大図である。
【図７】テッシュペーパー箱用カバーの使用例であり側面図を示す。
【図８】テッシュペーパー箱用カバーの使用例であり側面図を示す。
【考案を実施するための形態】
【００１３】以下、本考案に係る実施の形態を図面により説明する。
【実施例】
【００１４】図１は、本考案の一具体例であるテッシュペーパー箱用カバー（１００）の上面図である。本考案のテッシュペーパー箱用のカバー（１００）は、上面板（１）の中央に開口部（４）を備え、前記開口部（４）側面には支持軸（３）が２本取り付けられ、前記支持軸（３）には回動自在のローラー（２）が対面するように設置している。図２は、図１記載のテッシュペーパー箱用カバー（１００）のＸ−Ｙ断面を示す。前記上面板（１）の下側にも前記開口部（４）を備えた下面板（５）が取り付けられており、前記ローラー（２）の直径は前記上面板（１）と前記下面板（５）を積み重ねた厚み（ｔ）より小さくし、前記ローラーの面が両板の表面から飛び出さないように設置している。【００１５】図３は、前記下面板（５）の形状を示しており、前記支持軸（３）を遊嵌するため前記支持軸（３）の直径より深い凹部形状削り出し部（６）を４ヶ所設けている。図４は、前記下面板（５）に前記支持軸（３）を設置した状態を示す拡大図である。回転自在のローラー（２）備えた前記支持軸（３）が前記凹部形状削り出し部（６）に対抗するように２本搭載され前記支持軸（３）の先端部側面に設置した板バネ（１０）により押圧されることにより前記２本のローラー（２）面同士が接触する。【００１６】図５は、本考案の別の実施形態であり前記支持軸（３）を遊嵌するため前記支持軸（３）の直径より深い凹部形状削り出し部（６）を下面板（５）の側面に１ヶ所設けており固定板（７）により前記支持軸（３）の移動を抑制している。また、前記支持軸（３）には一体型の前記ローラー（２）でなく複数の分割ローラー（１１）に変更している。【００１７】図６も本考案の別の実施形態を示すが、支持軸の代わりに棒バネ（１２）を用いた。ローラー（１３）の側面には棒バネ（１２）の直径より大きな孔を有し回転自在としている。前記棒バネ（１２）を遊嵌するため前記棒バネ（１２）の直径より深い凹部形状削り出し部（６）を下面板（５）の側面に１ヶ所設けており固定板（７）により前記棒バネ（１２）の移動を抑制している。【００１８】図７と図８は、本考案のテッシュペーパー箱用カバー（１００）の使用例を示す。図７のテッシュペーパー箱用カバー（１００）は、テッシュペーパー箱（２０）に設置させ、テッシュペーパー（２５）を使用する状態にしたものであり図２に示すようにローラーが上面板（１）と下面板（５）を積み重ねた厚み（ｔ）内に収まるようにしている。図８は、ローラー（２）の一部が上面板（１）より出っ張るように設計したものである。【００１９】なお、本考案にかかるテッシュペーパー箱用カバーは、実施形態に記載したものに限られるものでなく、考案の要旨を逸脱しない範囲で変更可能である。【００２０】
【産業上の利用可能性】
【００２１】本考案は、テッシュペーパーのみならずキッチンペーパー用収納箱にも適用することが可能である。
【符号の説明】
【００２２】１    上面板
２    ローラー
３    支持軸
４    開口部
５    下面板
６    凹型形状削り出し部
７    固定板
１０  板バネ
１１  分割ローラー
１２  棒バネ
１３  ローラー
２０  テッシュペーパー箱
２５  テッシュペーパー
１００  テッシュペーパー箱用カバー
ｔ    上面板と下面板を積み重ねた厚み
【図１】
0003209162.tif 000003
【図２】
0003209162.tif 000004
【図３】
0003209162.tif 000005
【図４】
0003209162.tif 000006
【図５】
0003209162.tif 000007
【図６】
0003209162.tif 000008
【図７】
0003209162.tif 000009
【図８】
0003209162.tif 000010